(57)【要約】  本発明は、特にスポーツ活動時に使用するためのソックスであって、当該ソックスが、部分的にクッションを有している形式のものに関する。当該ソックス（１）のクッション（２）の配置形式が、シューズ（３）のクッション（４）の配置形式に調和されている。
2007507619.tif 000002
【特許請求の範囲】
【請求項１】
特にスポーツ活動時に使用するためのソックスであって、当該ソックスが、部分的にクッションを有している形式のものにおいて、当該ソックス（１）のクッション（２）の配置形式が、シューズ（３）のクッション（４）の配置形式に調和されていることを特徴とする、ソックス。
【請求項２】
クッション（２）が、甲の領域に吸収クッション（２１，２２）によって形成されており、該吸収クッション（２１，２２）の間にウェブ（２３）が設けられている、請求項１記載のソックス。
【請求項３】
吸収クッション（２１，２２）が、ウェブ（２３）を越えて張り出している、請求項２記載のソックス。
【請求項４】
クッション（２）が、踵の領域に間隔クッション（２６，２７）によって形成されており、該間隔クッション（２６，２７）の間にウェブ（２８）が設けられている、請求項１記載のソックス。
【請求項５】
間隔クッション（２６，２７）が、ウェブ（２８）を越えて張り出している、請求項４記載のソックス。
【請求項６】
ウェブ（２３，２８）が、空気調和性の布地から製作されている、請求項４または５記載のソックス。
【請求項７】
クッション（２）が、中空繊維から成っており、該中空繊維が、羊毛または綿によって被覆されている、請求項１から６までのいずれか１項記載のソックス。
【請求項８】
クッション（２）が、踝の領域に環状のクッション（２４）として形成されており、該クッション（２４）が、所定の面（２５）を取り囲んでいる、請求項１記載のソックス。
【請求項９】
当該ソックスが、Ｘクロスバンデージを装備している、請求項１から８までのいずれか１項記載のソックス。
【請求項１０】
当該ソックスが、空気通路（１５）を有している、請求項１から９までのいずれか１項記載のソックス。
【発明の詳細な説明】
【技術分野】
【０００１】
本発明は、特にスポーツ活動時に使用するためのソックスであって、当該ソックスが、部分的にクッションを有している形式のものに関する。
【０００２】
人間の足の解剖学的構造は生まれつき足底に皮下脂肪を有している。この皮下脂肪は歩行時にまたは走行時に衝撃軽減を生ぜしめる。足の残りの領域、たとえば踝または甲はこのような皮下脂肪を有していない。足のこの生まれつきの構造は、靴なしの、すなわち、裸足での歩行または走行に規定されている。なぜならば、この場合、足底での圧力の分配しか必要とならないからである。
【０００３】
しかし、人間の足はしばしば固い靴内に収められている。これは、特に人間が、たとえばスポーツ活動時に多くかつ迅速に運動する場合である。この場合、靴は、一方で、衝撃のばね弾性的な減衰ならびに足の確実な位置決めのために働き、他方で、地面における尖った凸凹または対象物を踏むことによる足底における怪我の阻止のために働く。
【０００４】
足が固い靴内に収められている場合には、足に加圧箇所が生ぜしめられる。この加圧箇所はシューズの結紐、べろ、踵における衝撃およびこれに類するものに基づき生ぜしめられる。この場合、シューズはその特質に応じて、それぞれ異なる加圧ゾーンを形成している。これらの加圧ゾーンは足底に生ぜしめられないので、加圧ゾーンには、皮下脂肪の形の生まれつきのクッションは存在していない。
【０００５】
足に対する圧力負荷を低減するために、ソックスにクッションを設けることが知られている。このクッションによって、圧力負荷の低減が可能となるようになっている。したがって、たとえば国際公開第９７／０９８９０号パンフレットに基づき、補強された足踏み領域を備えたソックスが公知である。この公知のソックスでは、補強部が、主として、足踏み面に相応の輪郭を有している。これによって、ソックスが付加的な緩衝を提供している。しかし、足は生まれつき足踏み面の領域に皮下脂肪を備えているので、理論上、このようなクッションは足踏み領域に不要である。さらに、ソックスの別の領域、すなわち、たとえば甲にクッションを設けるかまたは、踝を越えるシューズを履く事例、たとえばハイキング、スキー、インラインスケートおよびこれに類するものの場合には、クッションを脛もしくは脹ら脛の領域の設けることが公知である（ドイツ連邦共和国実用新案第２９７１５７６２号明細書参照）。このクッションも負荷の低減を生ぜしめるようになっている。
【０００６】
靴を履いている場合の圧力負荷を付加的に低減するために、特に最新のスポーツシューズでは、クッションがシューズに設けられている。したがって、たとえば靴べろに軟質の材料が詰められている。同じことが、踵の領域における一般的に硬い縁に適用されている。さらに、脹ら脛高さのシューズの場合には、しばしば踝の領域に付加的なクッションが設けられている。これによって、ここで、圧力負荷が低減される。
【０００７】
いま、前述した最新のスポーツシューズと、圧力負荷軽減のためのクッションを有する公知のソックスとの組合せ時には、以下の問題が生ぜしめられる。シューズだけでなくソックスも最大の負荷の領域、すなわち、特に甲、踝、アキレス腱およびこれに類する領域で緩衝されている。シューズもソックスも足の同じ領域に付加的なクッションを有しているので、これらの領域に二重クッションが生ぜしめられている。しかし、このことは、一般的に足の負荷軽減に通じない。むしろ、この二重クッションは足における付加的な圧力負荷を生ぜしめる。このことは、履き心地の低下と、これに基づき生ぜしめられる一層迅速な疲労とを招く。このことは、ソックスもしくはシューズのクッションの本来の目的、つまり、負荷軽減を生ぜしめることを排除している。
【０００８】
したがって、本発明の課題は、二重クッションを回避する部分的なクッションを備えたソックスを提供することである。本発明によれば、この課題は、当該ソックスのクッションの配置形式が、シューズのクッションの配置形式に調和されていることによって解決される。
【０００９】
本発明によって、二重クッションが回避された部分的なクッションを備えたソックスが提供されている。これに基づき、付加的な負荷は生ぜしめられない。むしろ、緩衝される領域が拡張される。このことは、均一な圧力分配を結果的に招く。これによって、早期の疲労が阻止される。
【００１０】
本発明の改良形では、クッションが、甲の領域に吸収クッションによって形成されており、該吸収クッションの間にウェブが設けられている。吸収クッションが、ウェブを越えて張り出していると有利である。これによって、あらゆるシューズに設けられたべろが吸収クッションの間に、履かれた状態で配置されていることが保証されている。べろがそれぞれクッション付与されているので、側方への吸収クッションの配置によって、二重クッションが回避されている。むしろ、均一な圧力分配を生ぜしめる一貫した面が生ぜしめられる。このことは、足の早期の疲労ならびに加圧箇所を排除している。
【００１１】
本発明の別の改良形では、クッションが、踵の領域に間隔クッションによって形成されており、該間隔クッションの間にウェブが設けられている。間隔クッションが、ウェブを越えて張り出していると有利である。これによって、それぞれシューズの踵の領域に設けられた、一般的に設けられた保護カバーの上方の縁のクッションをウェブの領域、すなわち、全く緩衝されない領域もしくは僅かに緩衝される領域に配置する可能性が提供されている。これによって、二重クッションが回避されている。間隔クッションの隣り合った配置によって、踵の領域での均一な緩衝ひいては均一な圧力分配が得られる。
【００１２】
本発明の構成では、当該ソックスが、空気通路を有している。この空気通路は、湿分が蒸発し得るかもしくは湿分の蒸発しない部分が布地によって吸収され得ることに寄与する。さらに、空気通路によって、湿分をシューズ領域から上方に導出する可能性が提供されている。
【００１３】
当該ソックスが、Ｘクロスバンデージを装備していると有利である。このＸクロスバンデージは、脚と足との間の移行領域における踝を支持している。
【００１４】
本発明の別の改良形および構成は、残りの従属請求項に記載してある。以下に、本発明の実施例を図面につき詳しく説明する。
【００１５】
全般的に符号１で示したソックスは、足指領域１１と、踵領域１２と、足指領域と踵領域との間に設けられた踏み領域１３とを有している。これらの領域１１，１２，１３は、本実施例に図示したように、補強された材料から製作することができる。材料組合せ、たとえば新毛と弾性繊維材料、たとえばエラスタンとの組合せの使用も可能である。
【００１６】
ソックスの足部分には胴が続いている。この胴は、図３に示した実施例では、踝の上方で終わっていて、図１および図２に示した実施例では、脹ら脛にわたってまで延びている。足部分と反対の側の端部には、胴がバンド１４を備えている。このバンド１４から、本実施例では、空気通路１５が出発している。この空気通路１５は踏み領域１３にまで達していて、空気調和性の網目編地から形成されている。空気通路１５は、湿分を踏み領域から上方に導出することに寄与する。このような空気通路１５は、脚内側だけでなく脚外側でまたは両側でソックスに設けることができる。
【００１７】
さらに、ソックス１はＸクロスバンデージ（図示せず）を装備していてよい。このＸクロスバンデージは、空気調和性の弾性的な布地から形成されている。Ｘクロスバンデージは、脚と足との間の移行領域における踝を支持している。
【００１８】
ソックス１は部分的にクッション２を備えている。図１に示した実施例には、吸収クッション２１が設けられている。この吸収クッション２１は、足指領域から足部分の甲を介してソックスの胴の下側の領域にまで延びている。クッション２１は甲に対して側方に配置されている。図１に示したソックス１の、見ることができない側には、比較可能な吸収クッション２２が設けられている。この吸収クッション２２は図５に認めることができる。クッション２２は、図１に示したクッション２１とほぼ同じ形状を有している。両クッション２１，２２の間にはウェブ２３が形成されている。このウェブ２３は、同じく足指領域１１からソックスの胴の下側の領域にまで延びている。クッション２１，２２はウェブ２３を越えて著しく張り出している。
【００１９】
踝の領域、すなわち、足部分とソックスの胴との間の移行部には、クッション２４が設けられている。このクッション２４はほぼ環状の構成を有している。環状のクッション２４はほぼ円形の面２５を取り囲んでいる。クッション２４は、面２５を著しく越えて張り出しているように形成されている。
【００２０】
図２に示した実施例では、ソックス１における踵の領域に２つの間隔クッション２６，２７が配置されている。本実施例では、両間隔クッション２６，２７の形状が、この領域における足の解剖学的構造に適応されている。間隔クッション２７は踵領域１２で始まっていて、両間隔クッション２６，２７の間に形成されたウェブ２８で終わっている。このウェブ２８は空気調和性の布地から製作することができる。間隔クッション２６，２７は、ウェブ２８を越えて著しく張り出しているように形成されている。
【００２１】
クッション２は、一般的にプラスチック糸または複合布地または複合糸またはこれに類する材料から製作されている。本実施例では、ソックス１のクッション２が中空繊維から製作されている。この中空繊維は羊毛または綿によって被覆されている。中空プラスチック糸は、特に著しく衝撃・圧力緩衝性である。踏み領域１３は、摩耗を減少させることを補助する極細繊維編物から製作することができる。足指・踵領域１１，１２でも、要求に応じて、フットベッドが極細繊維から製作されている。
【００２２】
実施例として選択された、全般的に符号３で示したシューズは、部分的にクッション４を有している。シューズ３はソール３１を有している。このソール３１には、閉じられた上側部分３２が配置されている。履かれた状態（図４参照）では、使用者の足がソール３１に支持されているのに対して、踝までの足の残りの部分は上側部分３２によって取り囲まれている。この上側部分３２は種々異なる材料から成っていてよい。過去、主に皮革が上側部分３２のための材料として使用されていたのに対して、今日では、主にプラスチック繊維およびプラスチックが使用される。
【００２３】
シューズ３の上側部分３２はべろ３３を有している。このべろ３３にわたってシューズの結紐（図示せず）が行われる。このためには、シューズに鳩目３４が設けられている。べろ３３は、シューズの固い結紐時にもしくは強い負荷時に使用者の足における痛みを阻止するために、詰綿４１の形のクッション４を備えている。シューズ３の前方の領域にはカバー３５が配置されている。このカバー３５は硬質のプラスチック、皮革または固い編地から製作することができる。さらに、シューズの踵領域にも、符号３６で示した保護カバーが設けられている。この保護カバー３６も固いプラスチック、皮革または補強されて編成されたプラスチック繊維から製作することができる。カバー３６は、踵に側方の案内を提供するために、シューズの側方の領域に延びている。
【００２４】
両保護カバー３５，３６の間の領域では、シューズの上側部分３２が皮革またはプラスチック繊維から製作されている。この材料から製作された領域は符号３７で示してある。この領域はシューズの上側部分の構造強度に著しく寄与する。シューズの上側部分３２の領域３７には空気調和ゾーン３８が位置している。この空気調和ゾーン３８は、シューズの使用分野に関連して、それぞれ異なる箇所にかつ種々異なる形状およびサイズで設けられている。内部には、履き心地を高めるために、領域３７がクッション４２を備えている。保護カバー３６の上方には、踵における負荷を低減するために、シューズ３がクッション４３を装備している。
【００２５】
ソックス１のクッション２の配置形式は、シューズ３のクッション４の配置形式に調和されている。以下に、このことを、介在するウェブ２３を備えた吸収クッション２１，２２と、シューズ３のべろ３３に設けられた詰綿４１とにつき例示的に説明する（図５参照）。べろ３３に設けられた詰綿４１はべろの全幅にわたって延びている。したがって、詰綿４１は領域３７の下方にも達していて、この結果、鳩目３４に対してクッションを付与している。図５に示した断面図から知ることができるように、詰綿４１によって、べろ３３の厚さの増加が行われる。最適なクッションを提供するためには、吸収クッション２１，２２が、クッション付与されたべろ３３に対して正確に隣接して配置されている。詰綿４１を備えたべろ３３はウェブ２３に正確に載置している。したがって、クッション２１，２２と詰綿４１とは、一貫して均一にクッション付与された面を形成している。これによって、二重クッションが回避されている。これによって、極端な負荷下でも、極めて緊密に結紐されたシューズの場合でも、均一な圧力分配が生ぜしめられる。このことは、加圧箇所の発生ひいては早期の疲労の危険を排除する。
【００２６】
吸収クッション２１，２２ならびにウェブ２３の作用形式に匹敵して、間隔クッション２６，２７がウェブ２８に相俟って作用する。図４から知ることができるように、シューズ３の保護カバー３６の上方に設けられたクッション４３は、履かれた状態でソックス１に接触している。これによって、圧力負荷軽減が生ぜしめられている。間隔クッション２６，２７はクッション４３に正確に隣接して配置されている。このクッションはウェブ２８の領域に正確に位置している。この構成によっても、二重クッションが回避されている。同時に均一な負荷分配が生ぜしめられる。さらに、踵は、本発明による構成によって、極端な足運動下でも踵の領域における損傷に対して防護されている。
【００２７】
明細書および特許請求の範囲でソックスを言及している限り、本発明は単にこのソックスに限定されていない。むしろ、この概念下では、本発明が同じく関するストッキング、パンティストッキングおよびこれに類するものも包含することができる。また、本発明は、単にクッションの形状および配置形式にも限定されていない。むしろ、その都度の負荷条件もしくはシューズ形状に関連したクッションの別の配置形式および構成も同じく本発明の思想によって包括されている。
【図面の簡単な説明】
【００２８】
【図１】ソックスの側面図である。
【図２】ソックスの別の構成の斜視図である。
【図３】シューズの簡単な側面図である。
【図４】図１に示したソックスを、図３に示したシューズと組み合わせて示す図である。
【図５】図４に示したＶ−Ｖ線に沿った断面を拡大して示す図である。
【符号の説明】
【００２９】
１  ソックス、  ２  クッション、  ３  シューズ、  ４  クッション、  １１  足指領域、  １２  踵領域、  １３  踏み領域、  １４  バンド、  １５  空気通路、  ２１  吸収クッション、  ２２  吸収クッション、  ２３  ウェブ、  ２４  クッション、  ２５  面、  ２６  間隔クッション、  ２７  間隔クッション、  ２８  ウェブ、  ３１  ソール、  ３２  上側部分、  ３３  べろ、  ３４  鳩目、  ３５  保護カバー、  ３６  保護カバー、  ３７  領域、  ３８  空気調和ゾーン、  ４１  詰綿、  ４２  クッション、  ４３  クッション
【図１】
2007507619.tif 000003
【図２】
2007507619.tif 000004
【図３】
2007507619.tif 000005
【図４】
2007507619.tif 000006
【図５】
2007507619.tif 000007
【国際調査報告】
2007507619.tif 000008
2007507619.tif 000009
2007507619.tif 000010
2007507619.tif 000011
2007507619.tif 000012
2007507619.tif 000013